(57)【要約】【課題】全てのページの画像形成が完了する前に、消耗品が無くなることを抑制することができる画像形成装置を提供する。【解決手段】画像形成装置１００は、装着部３１と、画像形成部３０と、残量検出部３７と、制御部１５とを備える。装着部３１には、消耗品を収容する交換部品３４が装着される。残量検出部３７は、交換部品３４に収容される消耗品の残量を検出する。制御部１５は、消耗品の残量が閾値以下であるか否かを判定する。制御部１５は、消耗品の残量が閾値以下であると判定した場合、全ページ数が画像形成可能であるか否かを判定する。制御部１５は、全ページ数が画像形成可能でないと判定した場合、平均消費量を変更する。全ページ数は、画像形成すべき全てのページ数を示す。平均消費量は、シートの１ページあたりに消費される消耗品の量を示す。【選択図】図１
2019200298.tif 000002
【特許請求の範囲】
【請求項１】
消耗品を収容する交換部品が装着される装着部と、
前記消耗品を消費することによってシートに画像を形成する画像形成部と、
前記交換部品に収容される前記消耗品の残量を検出する残量検出部と、
制御部と
を備え、
前記制御部は、
前記消耗品の残量が閾値以下であるか否かを判定し、
前記消耗品の残量が前記閾値以下であると判定した場合、全ページ数が画像形成可能であるか否かを判定し、
前記全ページ数が画像形成可能でないと判定した場合、平均消費量を変更し、
前記全ページ数は、画像形成すべき全てのページ数を示し、
前記平均消費量は、前記シートの１ページあたりに消費される前記消耗品の量を示す、画像形成装置。
【請求項２】
前記制御部は、前記全ページ数が画像形成可能でないと判定した場合、前記閾値と残ページ数とに基づいて、前記平均消費量を変更し、
前記残ページ数は、画像形成すべき残りのページ数を示す、請求項１に記載の画像形成装置。
【請求項３】
前記制御部は、可能ページ数が前記残ページ数以上であるか否かに基づいて、前記全ページ数が画像形成可能であるか否かを判定し、
前記可能ページ数は、前記消耗品の残量が前記閾値以下となった時点での画像形成可能であるページ数を示す、請求項２に記載の画像形成装置。
【請求項４】
前記制御部は、前記残ページ数を前記全ページ数から完了ページ数を減算して算出し、
前記完了ページ数は、画像形成を開始してから前記消耗品の残量が前記閾値以下となった時点までに画像形成を完了したページ数を示す、請求項３に記載の画像形成装置。
【請求項５】
前記制御部は、画像形成を開始してから前記消耗品の残量が前記閾値以下となった時点までに消費された前記消耗品の消費量と、前記平均消費量とに基づいて前記完了ページ数を算出する、請求項４に記載の画像形成装置。
【請求項６】
前記制御部は、前記消耗品の残量が前記閾値以下となった時点の前記消耗品の残量と、前記平均消費量とに基づいて前記可能ページ数を算出する、請求項３から請求項５のいずれか１項に記載の画像形成装置。
【発明の詳細な説明】
【技術分野】
【０００１】
本発明は、画像形成装置に関する。
【背景技術】
【０００２】
通常印刷時よりトナーの消費量を抑えて画像形成処理を行うトナーセーブ機能を備えた画像形成装置が知られている（例えば、特許文献１）。特許文献１に記載の画像形成装置は、トナーの残量値が予め定められている所定値以下である場合に、トナーセーブモードに切り替えてトナーの消費量を所定量減少させている。
【先行技術文献】
【特許文献】
【０００３】
【特許文献１】特開２００７−１４７７７２号公報
【発明の概要】
【発明が解決しようとする課題】
【０００４】
しかしながら、特許文献１に記載の画像形成装置では、全てのページの画像形成が完了する前に、トナー（消耗品）が無くなる可能性があった。特に、大量の枚数のシートに画像形成を行う場合、画像形成の途中でトナーが無くなる可能性が高かった。
【０００５】
本発明は上記課題に鑑みてなされたものであり、その目的は全てのページの画像形成が完了する前に、消耗品が無くなることを抑制することができる画像形成装置を提供することにある。
【課題を解決するための手段】
【０００６】
本発明に係る画像形成装置は、装着部と、画像形成部と、残量検出部と、制御部とを備える。前記装着部には、消耗品を収容する交換部品が装着される。前記画像形成部は、前記消耗品を消費することによってシートに画像を形成する。前記残量検出部は、前記交換部品に収容される前記消耗品の残量を検出する。前記制御部は、前記消耗品の残量が前記閾値以下であるか否かを判定する。前記制御部は、前記消耗品の残量が前記閾値以下であると判定した場合、全ページ数が画像形成可能であるか否かを判定する。前記制御部は、前記全ページ数が画像形成可能でないと判定した場合、平均消費量を変更する。前記全ページ数は、画像形成すべき全てのページ数を示す。前記平均消費量は、前記シートの１ページあたりに消費される前記消耗品の量を示す。
【発明の効果】
【０００７】
本発明に係る画像形成装置によれば、全てのページの画像形成が完了する前に、消耗品が無くなることを抑制することができる。
【図面の簡単な説明】
【０００８】
【図１】本発明の実施形態に係る画像形成装置の内部構造を示す断面図である。
【図２】記憶部に記憶されているデータを示す図である。
【図３】本発明の実施形態に係る画像形成装置の画像形成方法を示すフローチャートである。
【図４】本発明の実施形態に係る画像形成装置の平均消費量調整処理を示すフローチャートである。
【発明を実施するための形態】
【０００９】
以下、本発明の実施形態について、図面を参照しながら説明する。なお、図中、同一または相当部分については同一の参照符号を付して説明を繰り返さない。
【００１０】
図１を参照して、本発明の実施形態に係る画像形成装置１００について説明する。図１は、本発明の実施形態に係る画像形成装置１００の内部構造を示す断面図である。
【００１１】
図１に示すように、画像形成装置１００は、画像形成部３０と、複数の装着部（装着部３１Ｙ、装着部３１Ｍ、装着部３１Ｃおよび装着部３１Ｂｋ）と、複数のトナー残量センサー（トナー残量センサー３７Ｙ、３７Ｍ、３７Ｃ、３７Ｂｋ）と、定着部６０と、給紙部４０と、入力部８０と、表示部９０と、制御部１５と、記憶部１７と、通信部１９とを備える。本明細書において、装着部３１Ｙ、装着部３１Ｍ、装着部３１Ｃおよび装着部３１Ｂｋを総称して、装着部３１と記載することがある。また、本明細書において、トナー残量センサー３７Ｙ、３７Ｍ、３７Ｃおよび３７Ｂｋを総称して、トナー残量センサー３７と記載することがある。トナー残量センサー３７は、「残量検出部」の一例に相当する。
【００１２】
画像形成装置１００には、搬送経路５０が形成されている。画像形成部３０は、シートＰにトナー像を形成する。定着部６０は、トナー像をシートＰに定着させる。給紙部４０は、画像形成部３０へ搬送される定型のシートＰを貯留する。搬送経路５０は、給紙部４０から、画像形成部３０および定着部６０を経由して、排出口７０までシートＰが搬送される経路である。
【００１３】
画像形成部３０は、トナーを消費することによってシートＰに画像を形成する。詳しくは、画像形成部３０は、フルカラーのトナー像をシートＰに転写する。画像形成部３０は、画像形成ユニット３２と、中間転写ユニット３３とを含む。画像形成ユニット３２は、イエローＹ、マゼンタＭ、シアンＣおよびブラックＢｋの各色のトナー像をそれぞれ形成する４つの画像形成ユニット３２Ｙ、３２Ｍ、３２Ｃおよび３２Ｂｋを含む。各画像形成ユニット３２Ｙ、３２Ｍ、３２Ｃおよび３２Ｂｋは、現像ユニット３５と、感光体ユニット３６とを含む。トナーは、「消耗品」の一例に相当する。
【００１４】
中間転写ユニット３３は、中間転写ベルト３３１と、クリーニング装置３３４とを備える。中間転写ベルト３３１は、無端ベルトである。クリーニング装置３３４は、中間転写ベルト３３１の外周面に残っているトナーをクリーニングする。
【００１５】
装着部３１には、交換部品が装着される。詳しくは、装着部３１Ｙ、３１Ｍ、３１Ｃ、および３１Ｂｋのそれぞれには、交換部品３４Ｙ、３４Ｍ、３４Ｃ、および３４Ｂｋが装着される。
【００１６】
交換部品３４Ｙ、３４Ｍ、３４Ｃ、および３４Ｂｋはそれぞれ、イエローＹ、マゼンタＭ、シアンＣ、およびブラックＢｋの各色のトナーを収容する。イエローＹ、マゼンタＭ、シアンＣ、およびブラックＢｋの各色のトナーが、各色に対応する画像形成ユニット３２Ｙ、３２Ｍ、３２Ｃ、および３２Ｂｋの現像ユニット３５に、交換部品３４Ｙ、３４Ｍ、３４Ｃ、および３４Ｂｋから、図略の供給経路を通して供給される。本明細書において、交換部品３４Ｙ、３４Ｍ、３４Ｃ、および３４Ｂｋを総称して、交換部品３４と記載することがある。
【００１７】
複数のトナー残量センサー３７の各々は、複数の交換部品３４の各々に対応する。各トナー残量センサー３７は、対応する交換部品３４に収容されるトナー残量を検出する。各トナー残量センサー３７は、例えば、透磁率センサーである。各トナー残量センサー３７は、交換部品３４に収容されるトナーの透磁率を検出することで、交換部品３４内のトナー残量を検出する。
【００１８】
制御部１５は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部１５は、記憶部１７に記憶された制御プログラムをプロセッサーが読み出して実行することによって、画像形成装置１００の各部の動作を制御する。制御部１５は、画像形成部３０によるトナーを消費する動作を制御する。
【００１９】
記憶部１７は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）によって構成される。記憶部１７は、外部メモリーを含んでいてもよい。外部メモリーは、リムーバブルメディアである。記憶部１７は、外部メモリーとして、例えば、ＵＳＢ（Ｕｎｉｖｅｒｓａｌ  Ｓｅｒｉａｌ  Ｂｕｓ）メモリー、およびＳＤ（Ｓｅｃｕｒｅ  Ｄｉｇｉｔａｌ）カードを含む。記憶部１７は、各種のデータ、および、画像形成装置１００の各部の動作を制御するための制御プログラムを記憶する。制御プログラムは、制御部１５によって実行される。
【００２０】
通信部１９は、同じ通信方式（プロトコル）を利用する通信機が搭載された電子機器との間で通信が可能である。本実施形態において、通信部１９は、ＬＡＮ（Ｌｏｃａｌ  Ａｒｅａ  Ｎｅｔｗｏｒｋ）などのネットワーク網を介して外部装置と通信する。通信部１９は、例えば、ＬＡＮボードのような通信モジュール（通信機器）である。
【００２１】
外部装置は、ユーザーが使用する装置であり、具体的には、パーソナルコンピューター、またはタブレット端末装置である。本実施形態において、ユーザーは、外部装置を操作することによって、画像形成装置１００に対してプリントジョブを送信する。
【００２２】
表示部９０は、ソフトウェアボタンを表示可能なタッチパネル機能を有するディスプレーであり、操作パネルに配置される。このようなタッチパネル機能は、表示部９０と入力部８０とを兼ね得る。
【００２３】
入力部８０は、例えば、タッチパネル機能と種々のハードウェアボタンとを有する操作パネルである。入力部８０には、ユーザーによる指示が入力される。例えば、ユーザーは入力部８０により、後述するトナー残量の閾値である「トナー調整閾値」を入力する。例えば、表示部９０に表示される数字キーの入力により入力しても良く、表示部９０に表示される複数の閾値設定キー（１０％、２０％、３０％等）から選択できるようにしても良い。さらに、ハードウェアボタンは、スタートボタン８１を含む。スタートボタン８１は、画像形成装置１００の動作の実行を開始する指示を入力するためのボタンである。ユーザーは、スタートボタン８１を押下することによって、例えば、消費開始指示を入力する。消費開始指示は、トナーを消費する機能（例えば、コピー印刷機能）の実行を開始するための指示を示す。
【００２４】
図１および図２を参照して、記憶部１７についてさらに説明する。図２は、記憶部１７に記憶されているデータを示す図である。
【００２５】
図２に示すように、記憶部１７は、パラーメーターとして、「トナー最大ページ数」と、「トナー最大容量」と、「平均消費量」と、「トナー調整閾値」とを記憶する。「トナー調整閾値」は、「閾値」の一例に相当する。
【００２６】
「トナー最大ページ数」と、「トナー最大容量」と、「トナー調整閾値」とは、入力部８０を用いてユーザー（例えば、管理者）が設定することができる。
【００２７】
「トナー最大ページ数」は、交換部品に収容されているトナーによって画像形成が可能な最大ページ数を示す。ここでは、「トナー最大ページ数」として、２０００ページが設定されている。
【００２８】
「トナー最大容量」は、交換部品に収容されているトナーの最大容量を示す。詳しくは、「トナー最大容量」は、交換部品にトナーが満杯に収容されている状態の容量を示す。「トナー最大容量」は、百分率で表される。ここでは、「トナー最大容量」として、１００％が設定されている。
【００２９】
「平均消費量」は、シートＰの１ページあたりに消費されるトナーの量を示す。制御部１５が「トナー最大容量」を「トナー最大ページ数」で除算することによって、「平均消費量」は算出される。「平均消費量」は、百分率で表される。ここでは、「平均消費量」は、０．０５％である。
【００３０】
「トナー調整閾値」は、平均消費量を調整するか否かの判定基準となるトナーの残量の閾値を示す。詳しくは、トナーの残量が「トナー調整閾値」以下であると制御部１５が判定した場合、制御部１５は平均消費量調整処理を行う。
【００３１】
制御部１５は、トナーの残量がトナー調整閾値以下であるか否かを判定し、トナーの残量がトナー調整閾値以下であると判定した場合、全ページ数が画像形成可能であるか否かを判定する。制御部１５は、全ページ数が画像形成可能でないと判定した場合、平均消費量を変更する。全ページ数は、画像形成すべき全てのページ数を示す。詳しくは、制御部１５は、全ページ数が画像形成可能でないと判定した場合、閾値と残ページ数とに基づいて、平均消費量を変更する。残ページ数は、画像形成すべき残りのページ数を示す。すなわち、制御部１５は、全ページ数が画像形成可能でないと判定した場合、全ページ数が画像形成できるように、平均消費量を減少させる。
【００３２】
図１〜図３を参照して、本発明の実施形態に係る画像形成装置１００の画像形成方法について説明する。図３は、本発明の実施形態に係る画像形成装置１００の画像形成方法を示すフローチャートである。図３に示すステップＳ１０２〜ステップＳ１１２の処理が実行されることによって、シートＰに画像形成が行われる。
【００３３】
ステップＳ１０２：通信部１９がプリントジョブを受信する。処理は、ステップＳ１０４に進む。
【００３４】
ステップＳ１０４：画像形成部３０が、シートＰに画像を形成する。処理は、ステップＳ１０６に進む。
【００３５】
ステップＳ１０６：制御部１５は、全ページ数の画像形成が完了したか否かを判定する。全ページ数の画像形成が完了したと制御部１５が判定した場合（ステップＳ１０６：Ｙｅｓ）、処理は、終了する。全ページ数の画像形成が完了していないと制御部１５が判定した場合（ステップＳ１０６：Ｎｏ）、処理は、ステップＳ１０８に進む。
【００３６】
ステップＳ１０８：制御部１５は、トナーの残量がトナー調整閾値以下であるか否かを判定する。トナーの残量がトナー調整閾値以下でないと制御部１５が判定した場合（ステップＳ１０８：Ｎｏ）、処理は、ステップＳ１０４に戻り、引き続き画像形成部３０がシートＰに画像を形成する。トナーの残量がトナー調整閾値以下であると、制御部１５が判定した場合（ステップＳ１０８：Ｙｅｓ）、処理は、ステップＳ１１０に進む。
【００３７】
ステップＳ１１０：制御部１５は、平均消費量調整処理を行う。平均消費量調整処理については、図４を参照して後述する。処理は、ステップＳ１１２に進む。
【００３８】
ステップＳ１１２：画像形成部３０が、シートＰに画像を形成する。処理は、終了する。
【００３９】
図１〜図４を参照して、本発明の実施形態に係る画像形成装置１００の平均消費量調整処理について説明する。図４は、本発明の実施形態に係る画像形成装置１００の平均消費量調整処理を示すフローチャートである。図４に示すステップＳ２０２〜ステップＳ２１４の処理が実行されることによって、平均消費量調整処理が行われる。
【００４０】
まず、平均消費量を変更する場合について説明する。以下の条件である場合の平均消費量調整処理について説明する。プリントジョブを開始する前のトナーの残量は、「３０％」である。「トナー調整閾値」として、「２０％」が設定されている。「平均トナー消費量」は、「０．０５％」である。ユーザーは、「７００ページ」のドキュメントを印刷する。
【００４１】
ステップＳ２０２：制御部１５は、「トナー消費量」を算出する。「トナー消費量」は、画像形成を開始してから、トナーの残量がトナー調整閾値以下となった時点までに消費されたトナーの消費量を示す。詳しくは、プリントジョブを開始する前のトナーの残量から、トナー調整閾値を減算することによって、制御部１５は「トナー消費量」を算出する。ここでは、制御部１５は「トナー消費量」が１０％（＝３０％−２０％）であると算出する。処理は、ステップＳ２０４に進む。
【００４２】
ステップＳ２０４：制御部１５は、「完了ページ数」を算出する。「完了ページ数」は、画像形成を開始してからトナーの残量がトナー調整閾値以下となった時点までに画像形成を完了したページ数を示す。詳しくは、制御部１５は、「トナー消費量」と「平均消費量」とに基づいて算出する。より詳しくは、「トナー消費量」を「平均消費量」によって除算して、制御部１５は「完了ページ数」を算出する。ここでは、制御部１５は「完了ページ数」が２００ページ（＝１０％／０．０５％）であると算出する。処理は、ステップＳ２０６に進む。
【００４３】
ステップＳ２０６：制御部１５は、「残ページ数」を算出する。「残ページ数」は、画像形成すべき残りのページ数を示す。詳しくは、全ページ数から完了ページ数を減算して、制御部１５は「残ページ数」を算出する。ここでは、制御部１５は「残ページ数」が５００ページ（＝７００ページ−２００ページ）であると算出する。処理は、ステップＳ２０８に進む。
【００４４】
ステップＳ２０８：制御部１５は、「可能ページ数」を算出する。「可能ページ数」は、トナーの残量がトナー調整閾値以下となった時点での画像形成可能であるページ数を示す。詳しくは、トナーの残量がトナー調整閾値以下となった時点でのトナーの残量と、平均消費量とに基づいて、制御部１５は「可能ページ数」を算出する。ここでは、制御部１５は「可能ページ数」が４００ページ（＝２０％／０．０５％）であると算出する。処理は、ステップＳ２１０に進む。
【００４５】
ステップＳ２１０：制御部１５は、「可能ページ数」が「残ページ数」以上であるか否かを判定する。すなわち、制御部１５は、全ページ数が画像形成可能であるか否かを判定する。「可能ページ数」が「残ページ数」以上であると制御部１５が判定した場合（ステップＳ２１０：Ｙｅｓ）、すなわち、全ページ数が画像形成可能であると制御部１５が判定した場合、処理は、ステップＳ２１４に進む。一方、「可能ページ数」が「残ページ数」以上で無いと制御部１５が判定した場合（ステップＳ２１０：Ｎｏ）、すなわち、全ページ数が画像形成可能でないと制御部１５が判定した場合、処理は、ステップＳ２１２に進む。ここでは、４００ページ＜５００ページであるため、処理は、ステップＳ２１２に進む。
【００４６】
ステップＳ２１２：制御部１５は、平均消費量を変更する。詳しくは、制御部１５は、トナー調整閾値と残ページ数とに基づいて、平均消費量を変更する。より詳しくは、制御部１５は、トナー調整閾値を残ページ数で除算する。そして、制御部１５は、平均消費量を算出された新たな平均消費量に変更する。ここでは、制御部１５は、新たな平均消費量が０．０４％（＝２０％／５００ページ）であると算出する。そして、制御部１５は、平均消費量を０．０５％から０．０４％に変更する。すなわち、１ページあたりのトナーの消費量を減少させる。したがって、減少された平均消費量に基づいて画像形成が行われる。その結果、画像形成の途中でトナーが無くなることなく、残りのページの全てについて画像形成することができる。
【００４７】
次に、平均消費量を維持する場合について説明する。すなわち、平均消費量を変更しない場合について説明する。以下の条件である場合の平均消費量調整処理について説明する。プリントジョブを開始する前のトナーの残量は、「３０％」である。「トナー調整閾値」として、「２０％」が設定されている。「平均トナー消費量」は、「０．０５％」である。ユーザーは、「５００ページ」のドキュメントを印刷する。
【００４８】
ステップＳ２０２：制御部１５は、「トナー消費量」を算出する。「トナー消費量」は、画像形成を開始してから、トナーの残量がトナー調整閾値以下となった時点までに消費されたトナーの消費量を示す。詳しくは、プリントジョブを開始する前のトナーの残量から、トナー調整閾値を減算することによって、制御部１５は「トナー消費量」を算出する。ここでは、制御部１５は「トナー消費量」が１０％（＝３０％−２０％）であると算出する。処理は、ステップＳ２０４に進む。
【００４９】
ステップＳ２０４：制御部１５は、「完了ページ数」を算出する。「完了ページ数」は、画像形成を開始してからトナーの残量がトナー調整閾値以下となった時点までに画像形成を完了したページ数を示す。詳しくは、制御部１５は、「トナー消費量」と「平均消費量」とに基づいて算出する。より詳しくは、「トナー消費量」を「平均消費量」によって除算して、制御部１５は「完了ページ数」を算出する。ここでは、制御部１５は「完了ページ数」が２００ページ（＝１０％／０．０５％）であると算出する。処理は、ステップＳ２０６に進む。
【００５０】
ステップＳ２０６：制御部１５は、「残ページ数」を算出する。「残ページ数」は、画像形成すべき残りのページ数を示す。詳しくは、全ページ数から完了ページ数を減算して、制御部１５は「残ページ数」を算出する。ここでは、制御部１５は「残ページ数」が３００ページ（＝５００ページ−２００ページ）であると算出する。処理は、ステップＳ２０８に進む。
【００５１】
ステップＳ２０８：制御部１５は、「可能ページ数」を算出する。「可能ページ数」は、トナーの残量がトナー調整閾値以下となった時点での画像形成可能であるページ数を示す。詳しくは、トナーの残量がトナー調整閾値以下となった時点でのトナーの残量と、平均消費量とに基づいて、制御部１５は「可能ページ数」を算出する。ここでは、制御部１５は「可能ページ数」が４００ページ（＝２０％／０．０５％）であると算出する。処理は、ステップＳ２１０に進む。
【００５２】
ステップＳ２１０：制御部１５は、「可能ページ数」が「残ページ数」以上であるか否かを判定する。すなわち、制御部１５は、全ページ数が画像形成可能であるか否かを判定する。「可能ページ数」が「残ページ数」以上であると制御部１５が判定した場合（ステップＳ２１０：Ｙｅｓ）、すなわち、全ページ数が画像形成可能であると制御部１５が判定した場合、処理は、ステップＳ２１４に進む。一方、「可能ページ数」が「残ページ数」以上で無いと制御部１５が判定した場合（ステップＳ２１０：Ｎｏ）、すなわち、全ページ数が画像形成可能でないと制御部１５が判定した場合、処理は、ステップＳ２１２に進む。ここでは、４００ページ＞３００ページであるため、処理は、ステップＳ２１４に進む。
【００５３】
ステップＳ２１４：制御部１５は、平均消費量を維持する。したがって、平均消費量を変えることなく画像形成が行われる。
【００５４】
以上、図１〜図４を参照して説明したように、制御部１５は、消耗品（トナー）の残量が閾値（トナー調整閾値）以下であるか否かを判定し、消耗品の残量が閾値以下であると判定した場合、全ページ数が画像形成可能であるか否かを判定する。そして、制御部１５は、全ページ数が画像形成可能でないと判定した場合、平均消費量を変更する。したがって、全てのページの画像形成が完了する前に、消耗品が無くなることを抑制することができる。
【００５５】
また、制御部１５は、全ページ数が画像形成可能でないと判定した場合、閾値と残ページ数とに基づいて、平均消費量を変更する。したがって、全てのページの画像形成が完了する前に、消耗品が無くなることを抑制することができる。
【００５６】
また、制御部１５は、可能ページ数が残ページ数以上であるか否かに基づいて、全ページ数が画像形成可能であるか否かを判定する。したがって、制御部１５は、平均消費量を変更するか否かを判定することができる。その結果、必要に応じて平均消費量を変更する処理を行うことができる。
【００５７】
以上、図面（図１〜図４）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５８】
（１）図１〜図４を参照して説明した画像形成装置１００は、カラー複合機であったが、本発明はこれに限られない。画像形成装置１００は、例えば、モノクロ複合機であってもよい。
【００５９】
（２）図１〜図４を参照して説明した画像形成装置１００は、電子写真方式の複合機であったが、本発明はこれに限られない。画像形成装置１００は、例えば、インクジェット記録方式の複合機であってもよい。例えば、インクジェット記録方式の複合機の場合、交換部品３４はインクカートリッジであり、消耗品はインク（例えば、ブラック色）である。画像形成ユニット部は、記録ヘッドを含む。
【符号の説明】
【００６０】
１５      制御部
３０      画像形成部
３１、３１Ｂｋ、３１Ｃ、３１Ｍ、３１Ｙ  装着部
３４、３４Ｂｋ、３４Ｃ、３４Ｍ、３４Ｙ  交換部品
３７、３７Ｂｋ、３７Ｃ、３７Ｍ、３７Ｙ  トナー残量センサー（残量検出部）
１００    画像形成装置
【図１】
2019200298.tif 000003
【図２】
2019200298.tif 000004
【図３】
2019200298.tif 000005
【図４】
2019200298.tif 000006